(57)【特許請求の範囲】
【請求項１】
金属板製の棚板の端縁に合成樹脂製等のエッジ部材を取付ける構造であって、
前記棚板の端縁には、棚上面から下向きに延びる前面板とその下端にて後向きに折曲げした下水平板と、この下水平板の先端から立ち上がる上向きの後端板とを備えた中空形状の折曲げ部が一体的に形成され、
前記エッジ部材は、前記棚板の折曲げ部に下方から嵌合できる嵌合部を有し、該嵌合部は、前記前面板の前面の少なくとも一部に当接すると共に、前記下水平板の下面及び後端板の背面にそれぞれ当接する断面形状に形成されており、
前記折曲げ部にエッジ部材を下方から嵌め込むときの前記折曲げ部における弾性に抗しての変形によって嵌合させると共に、前記棚板の折曲げ部における後端板と前記エッジ部材とには、前記嵌合状態を保持する係合部が形成されていることを特徴とする棚板へのエッジ部材の取付け構造。
【請求項２】
前記エッジ部材の後端縁には、前記棚板における折曲げ部の後端縁に係合してエッジ部材を下向き抜け不能に係合する爪が一体に形成されていることを特徴とする請求項１に記載した棚板へのエッジ部材の取付け構造。
【発明の詳細な説明】
【０００１】
【発明の属する技術分野】
本発明は、金属板製の棚板の端縁に、保護用やプライスカード装着用等のエッジ部材を取付ける構造に関するものである。
【０００２】
【従来の技術】
例えば商品陳列棚における棚板のようなスチール製の棚板は、その周縁を内向きに折り返した構造になっており、安全性や美感等の点から前端縁に合成樹脂製のエッジ部材を取付けることが行われている。
【０００３】
エッジ部材の取付け方法として実公昭56-33418号公報には、棚板の前端縁に、上向きに開口した樋状の折曲げ部を形成し、この折曲げ部に、エッジ部材を上方から嵌め込むことが記載されている。
【０００４】
また、特開平8-317838号公報には、棚板の前端縁に下向きの折曲げ部を形成すると共に、棚板の前端部に上向きの爪片（モール取付け座片）を切り起こし形成する一方、エッジ部材に、前記爪片に上方から嵌合する溝部を形成して、エッジ部材を爪片に上方から嵌め込み装着することが記載されている。
【０００５】
これらの両先行技術によると、エッジ部材の取付けをワンタッチ的に行える利点を有する。
【０００６】
【発明が解決しようとする課題】
ところで、商品陳列棚の場合、商品の取り出したり戻したりするために人が手を棚に伸ばした弾みで、エッジ部材を手で上向きに突き上げてしまうことがある。このため、前記両公報のようにエッジ部材を上方からの嵌め込みによって棚板に取付ける構成であると、エッジ部材が棚板から外れ出てしまう虞があった。
【０００７】
また、商品陳列用の棚は高さが相当に高いものが多いが、棚板が人の目線よりも高い位置にある場合、前記した両公報の構成では、棚板の折曲げ部が露出して体裁が良くない場合がある問題もあった。更に、前記特開平8-317873号公報に記載されているように棚板の前端縁を裏側に折曲げた場合、その折曲げ部の後端縁が露出するため、人が商品を取り出す等して棚に手を出し入れするに際して、人の手が折曲げ部の先端にふれて怪我をしやすいという点も問題であった。
【０００８】
本発明は、これらの問題を解消することを目的とするものである。
【０００９】
【課題を解決するための手段】
上記目的を達成するため、請求項１に記載の発明は、金属板製の棚板の端縁に合成樹脂製等のエッジ部材を取付ける構造であって、前記棚板の端縁には、棚上面から下向きに延びる前面板とその下端にて後向きに折曲げした下水平板と、この下水平板の先端から立ち上がる上向きの後端板とを備えた中空形状の折曲げ部が一体的に形成され、前記エッジ部材は、前記棚板の折曲げ部に下方から嵌合できる嵌合部を有し、該嵌合部は、前記前面板の前面の少なくとも一部に当接すると共に、前記下水平板の下面及び後端板の背面にそれぞれ当接する断面形状に形成されており、前記折曲げ部にエッジ部材を下方から嵌め込むときの前記折曲げ部における弾性に抗しての変形によって嵌合させると共に、前記棚板の折曲げ部における後端板と前記エッジ部材とには、前記嵌合状態を保持する係合部が形成されているものである。
【００１０】
請求項２に記載の発明は、請求項１に記載した棚板へのエッジ部材の取付け構造において、前記エッジ部材の後端縁には、前記棚板における折曲げ部の後端縁に係合してエッジ部材を下向き抜け不能に係合する爪が一体に形成されているものである。
【００１１】
【作用・効果】
請求項１のように構成すると、エッジ部材は、棚板の折曲げ部に下方から嵌め込むワンタッチ的な操作によって棚板に取付けられる。
【００１２】
そして、本発明はエッジ部材を棚板の折曲げ部に下方から嵌め込むものであるため、人が棚の内部に棚板を出し入れするに際してエッジ部材を下方から突き上げても、エッジ部材が脱落することはなく、しかも、棚板の折曲げ部はエッジ部材で覆われているため、棚板の折曲げ部が人目に触れることはなく、美感を向上できる。更に、棚板の折曲げ部はエッジ部材で覆われているため、人の手が棚板の下面の箇所に触れても怪我をすることはなく、安全性も向上することができる。
【００１３】
しかも、棚板の前端縁は、棚上面から下向きに延びる前面板とその下端にて後向きに折曲げした下水平板と、この下水平板の先端から立ち上がる上向きの後端板とを備えた中空状に折曲げられているので、折曲げ部にエッジ部材を下方から嵌め込むときの前記折曲げ部における弾性に抗しての変形によって互いに係合することができ、さらに、前記棚板の折曲げ部における後端板と前記エッジ部材と形成された係合部によって両者の嵌合状態を保持することが容易にできる。
【００１４】
そして、請求項２の発明によれば、前記エッジ部材の後端縁には、前記棚板における折曲げ部の後端縁に係合してエッジ部材を下向き抜け不能に係合する爪が一体に形成されているものであるから、取付け取外しが至極容易にできる。
【００１５】
【発明の実施形態】
次に、本発明の実施形態を図面に基づいて説明する。
【００１６】
≪第１実施形態≫
図１〜図３では第１実施形態を示しており、このうち図１は商品陳列等の棚１の斜視図、図２は図１のII−II視断面図、図３は図１の III-III視断面図である。棚１は、支柱（側枠）２と、金属板製の多数枚の棚板３とを備えており、棚板３の前端縁に合成樹脂製のエッジ部材４を取付けている。
【００１７】
図２に示すように、各棚板３の前端縁は、上面板５を下向きに折り曲げて形成した前面板６と、前面板６の下端を後ろ向きに折り曲げて形成した下水平板７と、下水平板７の先端から立ち上がった後端板８とで略中空状に形成されており（前端縁の折曲げ部を符号3aで示す）、前記後端板８と上面板５との間には大きな隙間が空いている。
【００１８】
他方、前記エッジ部材４は、棚板３の折曲げ部3aに下方からきっちり嵌まるように、棚板３の前面板６に密着する前面部９と、棚板３の下水平板７に密着する下面部10と、棚板３の後端板８に後方から密着する後端部11とを備えた形態であり、すなわち、棚板３の折曲げ部3aに嵌まる上向き開口溝4aを備えた断面形状であり、後端部11の上端には、棚板３の後端板８に上方から引っ掛かり係合する鉤形の爪12を形成している。
【００１９】
棚板３の後端板８とエッジ部材４の爪12とは請求項に記載した係合部の一例をなしている。
【００２０】
エッジ部材４の前面部９は断面半円状に形成されている一方、下面部10と後端部11とは板状に形成されており、このため、後端部11は、当該後端部11及び下面部10の弾性に抗して後方に倒れ変形し得る。爪12の前面は傾斜状に後傾状にカットされている。これは、棚板３の折曲げ部3aへの嵌め込みのガイドのためである。
【００２１】
図３に示すように、棚板３の左右両側縁（及び後端縁）3bも前端縁と同様の形状に折り曲げられている一方、エッジ部材４の前端部９は棚板３の左右全長にわたって延びており、このため、エッジ部材４の下面部10と後端部11との左右両端部は、側縁3bとの干渉防止のために平面視で面取り状にカットされている。
【００２２】
エッジ部材４は、合成樹脂を素材とした押し出し加工によって製造するのがコスト的に好適であるが、射出成形や加圧成形によって製造することもできる。また、後端部11又は爪12は必ずしも全長にわたって延びるように形成する必要はなく、長手方向に沿って部分的に設けても良い。
【００２３】
棚板３へのエッジ部材４の取付けは、図２に一点鎖線で示すように、エッジ部材４をその弾性に抗して棚板３の前端の折曲げ部3aに下方から押し当てて嵌め込み、爪12を棚板３の後端板８に係合させる、という操作でワンタッチ的に行われる。
【００２４】
そして、後端板８から前面部９までの距離L1よりも、後端板８の上端から前面板６と下水平板７との連接角部13までの距離L2が長いため、白抜き矢印で示すようにエッジ部材４の前面部９に下向きの力が作用しても、エッジ部材４の前面部９が棚板３の前記連接角部13につかえた状態となり、このためエッジ部材４が簡単に外れることはない。
【００２５】
他方、エッジ部材４を取り外す場合は、例えば、爪12に指を当てて後端部11を後方に引き倒しながらエッジ部材４を全体として下方に押しやるという作業により、簡単に取り外すことができる。従って、エッジ部材４の交換も楽である。
【００２６】
なお、図２から容易に理解できるように、後端板８の高さ寸法が大きくなるほどエッジ部材４の取付け強度は向上する。
【００２７】
≪第２実施形態≫
図４では第２実施形態を示している。この実施形態では、エッジ部材４の前面部９に、プライスカード等のカード類14を着脱自在に差し込みできる凹所（蟻溝）15を形成している。また、エッジ部材４の上部には、棚板３の前面板６との間に隙間を形成するための段部16が形成されており、この段部16に、商品17の転落防止のためのストッパー板18を抜き差し自在に装着できるようにしている。この実施形態によると、前端に折曲げ部3aを形成しただけの棚板３についても、カード類14やストッパー板18を簡単に取付けできる利点である。
【００２８】
なお、カード類14は凹所15の内面に貼り付けても良いし、また、凹所15に薄い合成樹脂板を装着して、その合成樹脂板にカード類14を貼り付けるなどしても良い。また、エッジ部材４の前面部９にストッパー部を一体成形しておいても良い。
【００２９】
≪第３実施形態≫
図５に示すのは第３実施形態であり、この実施形態では、エッジ部材４の前面部９に、断面鉤形の透明なカードホルダー19を引っ掛けできる凸条20を形成している。前面部９の前面をフラットに形成して、これにプライスカードやバーコードカード、各種ラベル等を貼り付けても良い。また、エッジ部材４は中空状に形成しても良い。
【００３０】
≪第４実施形態≫
図６では第４実施形態を示しており、 (A)は分離斜視図、 (B)は部分平面図、 (C)は側断面図である。本実施形態は基本的な構造は第１実施形態及び第２実施形態と同じであり、棚板３の前端の折り曲げ部3aを中空状に折曲げて、その後端板８にエッジ部材４の後端部11に形成した爪12を係合させている。また、第２実施形態と同様に、エッジ部材４の上部には段部が形成されている。エッジ部材４の上端と棚板３の上面とを同じ高さに設定している。
【００３１】
他方、エッジ部材４の具体的な形状、棚板３の構造、エッジ部材４の両端に嵌めたキャップ22の点で従前の実施形態とは異なっている。この点を以下に説明する。
【００３２】
エッジ部材４の前面にはカード類装着用の凹所15が形成されているが、カード類14の上下幅寸法が棚３の前端縁3aの厚さ寸法よりも大きいことから、エッジ部材４は棚板３の折り曲げ部3aの下面よりも下方にはみ出ている。エッジ部材４の下部は中空状に形成されているが（中空部を符号23で示す）、これは、主として、肉厚を均等化して加工精度を高めるため、及び材料を節約するためである。
【００３３】
棚板３の左右両側縁3bは下向きに折曲げられているが、この場合、側縁3bを２枚重ね状にはぜ折りし、その先端縁は上面板５に重なっている。また、棚板３のコーナー部は平面視角形に切欠かれている（切欠き箇所を符号24で示す）。
【００３４】
エッジ部材４は、棚板３における左右切欠き24の間に収まる長さであり、他方、キャップ22は切欠き24にきっちり嵌まる大きさに設定している。
【００３５】
キャップ22には、エッジ部材４の中空部23に嵌まる第１突起25と凹所15に嵌まる第２突起26とを設けており、更に、キャップ22には、棚板３の側縁3bの内面に沿って延びるストッパー片27を後ろ向きに突設している。従って、キャップ22は抜け不能に保持されている。
【００３６】
本実施形態及び他の実施形態では、カード類14を装着するエッジ部材４は棚３に着脱自在に取付くため、店舗のコンセプトや商品の内容等に合わせて異なる色彩のエッジ部材４に付け替えることができる利点がある。この場合、エッジ部材４の長手方向に沿って複数枚のカード類14を直列状に配置でき、且つ各カード類14の色彩を隣同士変更することにより、商品区分ごとの差異を見やすくすることもできる。従来は、カード類を取付ける溝形のレールはスチールで製造して棚に溶接しており、このため取り替えはできなかった。
【００３７】
この実施形態のようにすると、従来の棚板をそのまま使用できるため加工コストが嵩むことがないと共に、既設の棚板にも簡単に適用できる利点もある。また、エッジ部材を取り外すこともできるから、売り場のコンセプトに応じてエッジ部材の色彩を変えることも容易に行える。
【００３８】
また、キャップ22を設けると、エッジ部材４の横ずれを防止できると共に安全性も向上できる。
【００３９】
≪第５実施形態、６実施形態≫
図７では第５実施形態を示し、図８では第６実施形態を示している。これらは第４実施形態の変形例であり、このうち図７の第５実施形態では、エッジ部材４の凹所15等を棚３の前面から前方に大きく延びる断面形状に形成している。この第５実施形態では、凹所15に装着したカード類14は大きく寝た姿勢になるため、下段に位置した棚板３に取付けるとカード類14を購買者が見やすくて好適である。
【００４０】
人の身長よりも高い位置の棚板３に取付けるエッジ部材４においては、凹所15を斜め下向きに開口した状態に形成して、カード類14を前傾した姿勢で取付けできるようにしても良い。
【００４１】
図８の第６実施形態では、エッジ部材４の上部を棚板３の上面板５より上に突出させており、このように構成すると、商品の脱落をエッジ部材４で防止できる。
【００４２】
≪第７実施形態・８実施形態≫
図９では第７実施形態及び第８実施形態を示している。このうち図９(A) に示す第７実施形態では、棚板３の後端板８の上端に後ろ向きの係止片8aを形成し、この係止片8aと、エッジ部材４の後端部11に形成した係合溝11ａとを嵌め合わせている。
【００４３】
従って、この例では係止片8aと係合溝11ａとが請求項に記載した係合部に該当する。なお、図示実施例では、係止片8aと係合溝11ａとは全長にわたって長く延びているが、部分的でも良い。
【００４４】
図９(B) に示す第８実施形態では、棚板３の後端板８に係合穴28を適当な間隔で適宜個数形成する一方、エッジ部材４の後端部11に、前記係合穴28に嵌まる係合爪29を形成している。
【００４５】
≪第９実施形態≫
図11〜12では第９実施形態を示している。この実施形態は、エッジ部材４の嵌め合い構造は第１〜６実施形態と同じであり、棚３の側板40を前方に突出させている点で異なっている（前向き突出部を符号40ａで示す）。側板40の突出部40ａは、エッジ部材４の側面形状に合わせた形状に形成されている。
【００４６】
このように構成すると、側板40の前向き突出部40ａがエッジ部材４の横ずれを阻止するストッパーの役割を果たすため、第４〜６実施形態のようなキャップ22を必要としない。
【００４７】
≪第10実施形態≫
図13(A) 及び図13(B) は第10実施形態を示し、棚板３の後端板８を下水平板７から鈍角状に立ち上げるように屈曲形成させる( 図13(A) 参照) 。他方、エッジ部材４における下面部10から上向きに立ち上げる後端部11は略直角状である。エッジ部材４の下面部10と後端部11とを棚板３の前端部において下方から押し込むとき、当該下面部10と後端部11との剛性が高い場合には、金属板製の下水平板７に対して後端板８が直角方向に屈曲するように弾性変形し、該後端板８の上端が爪12に係合できるのである( 図13(B) 参照) 。例えば、棚板３は薄い鋼板であり、エッジ部材４がアルミの押出材のような場合には、下面部10と後端部11との直角状態が殆ど変化しないから、棚板３の後端板８側の弾性変形性を利用して、係合部としての爪12への係合力を高めるのである。
【００４８】
≪第11実施形態≫
図14は第11実施形態を示し、棚板３の前端から下向きに屈曲させる前面板６は鈍角状、即ち、前下向きに延び、該前面板６の下端から後向きにのびるように下水平板７を屈曲させ、さらに、後端板８を下水平板７から鈍角状に立ち上げるように屈曲形成させる( 図13(A) 参照) 。他方、エッジ部材４における下面部10から上向きに立ち上げる後端部11からなる上向き開口溝4aも、前記前面板６、下水平板７、後端板８からなる側断面略菱形状の折り曲げ部3aの断面形状に略合致するように形成されている。この実施形態においても、エッジ部材４の上向き開口溝4aを前記折り曲げ部3aに向かって下方から押し込み係合させることができる。そして、この実施形態のエッジ部材４はカード類14を差し込み載置できる凹所15が斜め上向きに傾斜しているから、エッジ部材自体を嵩張らせることなく、斜め上方からカード類１４に記載された文字等を読み易くできるという効果を奏する。
【００４９】
なお、この第11実施形態の変形例として、棚板３の後端板８の後向き傾斜角度（下水平板７との夾角）を、下面部10と後端部11との夾角より大きくなるように形成し、アルミの押出材のような剛性の高いエッジ部材４を折り曲げ部3aに押し込むと、下面部10と後端部11との角度状態が殆ど変化しないから、棚板３の後端板８側の弾性変形性を利用して、後端部11の係合部としての爪12への係合力を高めることができる。
【００５０】
図16〜図19は、左右一対の支柱２，２の間に棚ブラケット31,31 を介して陳列用棚板30を装着する場合を示し、この陳列用棚板30の前端部に前記各実施形態のエッジ部材４を装着することができる。この場合、図16に示すように、エッジ部材４における前面の凹所15内に配置するカード類14の長さをエッジ部材４の全長より短くして、複数のカード類14を一列の直線状に配列することができ、且つ隣接するカード類14の色彩を相互に変更して、見る者にとって見出しカード類の色彩に応じて配置された陳列商品が識別し易くなるようにしても良い。この場合、短いカード類14を長い透明プラスチック製のカードホルダに挟んで前記凹所15内に配置するようにしても良いことはいうまでもない。
【００５１】
金属板製等の棚ブラケット31の基端部から後向きに一体的に突設させた上下複数の係合鉤爪32を、支柱２の上下長手方向に沿って穿設された係合孔2aに嵌合させて、棚ブラケット31を前向きに突設させる。
【００５２】
ところで、棚ブラケット31の縦板状の支持板部31a に陳列用棚板30の下面の左右両端部を支持させる場合、単に陳列用棚板30の上面板30a を載置するだけでは、例えば陳列用棚板30の前端側に下方から上向きの外力が作用したとき、陳列用棚板30が棚ブラケット31から簡単に外れ、載置した物品が落下する等の不都合がある。そこで、陳列用棚板30の上面板30a の下面には、断面上向き略コ字状に屈曲形成された前後一対の補強杆33,34 をスポット溶接等にて固定する。そして、補強杆33,34 の長手方向の両端部には、上面板30a 側端の下向き側片30ｂとの間に、前記棚ブラケット31の支持板部31a の上端縁が前記上面板30a の下面に当接できる隙間( 図示せず) を形成する。このとき、支柱２の前面に近い後補強杆33には、その前垂直片33a 、下水平片33b 、後垂直片33c までの切欠き部35を設けると共に、後垂直片33c の上下中途から後向きに延びる中水平片33d の端部に係止片33e を設ける。他方、棚ブラケット31の支持板部31a の上端には、複数の後向き鉤片36a,36b,36c を設け、そのうちの一つを前記係止片33e に対して後向きに係止するように陳列用棚板30を載置すれば良い。
【００５３】
これにより、陳列用棚板30への上向きの外力が作用しても、係止片33e が後向き鉤片36b の基部に引っ掛かって上向き回動を阻止できる。図18及び図19の実施形態における棚ブラケット31の基端の係合鉤爪32の係止位置を選択することにより、当該棚ブラケット31の支持板部31a の上端縁が略水平状態から前下りの傾斜状の角度を大小変更できるように掛け換えすることができ、その傾斜角度に応じて前記係止片33e と前記複数の後向き鉤片36a,36b,36c の内の一つとの係合も選択できるのである。また、陳列用棚板30の奥行き寸法の大小に応じても係合鉤爪32の係止位置を変更すれば良い。
【００５４】
≪参考例≫
図10に示す参考例のうち、このうち図10(A) に示す形態では、棚板３の前端縁を、前側に上向き開口の樋状に折曲げ形成する一方、エッジ部材４の後部を、棚板３の折曲げ部3aに下方から嵌まるように溝状に形成し、エッジ部材４の内面に、折曲げ部3aの前端板35に上方から係合する爪（或いは段部）36を形成している。
【００５５】
図10(B) に示す他の参考例では、棚板３の前端に形成した下向きの折曲げ片37に、裏側に向けて突出するダボ38（爪でも良い）を左右方向に沿って適宜間隔で複数個形成する一方、エッジ部材４は折曲げ片37を下方から抱き込む形状に形成し、その後部内面に、前記ダボ38が嵌まる係合溝39を全長にわたって延びるように形成している。
【００５６】
図15(A) 及び図１５（B)はさらに他の参考例を示し、縦板３の前端部3dを断面略円筒状に湾曲形成する一方、エッジ部材４の上向き開口溝4aも前記前端部3dの外形の断面形状に略等しい円弧状に形成しておく。但し、前記前端部3dの外周の半径を上向き開口溝4aの半径より若干大きく設定する。これにより、前端部3dに上向き開口溝4aを下方から押し込んだとき、薄金属板製の前端部3dが金属の弾性力にて上向き開口溝4aにぴったりと嵌まるように嵌合できる。しかも、両者が円形であるため、カード類14を配置する凹所15の向きを任意になるようにエッジ部材４を前端部3dを中心にして上下に回して位置決めすることもできるのである。
【００５７】
≪その他≫
上記の各実施形態は商品陳列用の棚に適用した場合であったが、本発明は、物品保管用等の棚にも適用できる。また、エッジ部材は合成樹脂製ばかりでなく、前記したようにアルミ押出材等の金属材や木製であっても良い。そして、エッジ部材は棚板の前端縁と後端縁との両方に取付けても良いし、必要があれば棚板の四周に取付けても良いのである。
【図面の簡単な説明】
【図１】第１実施形態のエッジ部材を装着した陳列棚の斜視図である。
【図２】図１のII−II視断面図である。
【図３】図１の III-III視断面図である。
【図４】第２実施形態の断面図である。
【図５】第３実施形態の断面図である。
【図６】(A) は第４実施形態における各構成部品の斜視図、(B) は要部の平面図、(C) は側断面図である。
【図７】第５実施形態を示す図である。
【図８】第６実施形態を示す図である。
【図９】(A) は第７実施形態の側断面図、(B) は８実施形態の側断面図である。
【図10】(A) は参考例の側断面図、(B) は他の参考例の側断面図である。
【図11】第９実施形態の平面図である。
【図12】図11の XII-XII視断面図である。
【図13】(A) は第10実施形態におけるエッジ部材を棚板の前端に装着する前の断面図、(B) はエッジ部材を装着した状態の断面図である。
【図14】第11実施形態の側断面図である。
【図15】(A) は他の参考例のエッジ部材装着前の側断面図、(B) は装着状態の側断面図である。
【図16】陳列用棚の斜視図である。
【図17】棚ブラケットの取り付けの斜視図である。
【図18】棚ブラケットと棚板との取り付け状態を示す一部切欠き側面図である。
【図19】要部拡大斜視図である。
【符号の説明】
１  陳列棚
３  棚板
3a  棚板の折曲げ部
４  エッジ部材
５  棚板の上面板
６  棚板の前面板
７  棚板の下水平板
８  棚板の後端板
９  エッジ部材の前面部
10  エッジ部材の下面部
11  エッジ部材の後端部
12  エッジ部材の爪
13  棚板の連接角部
22  キャップ
【図１】
0003585026.tif 000002
【図２】
0003585026.tif 000003
【図３】
0003585026.tif 000004
【図４】
0003585026.tif 000005
【図５】
0003585026.tif 000006
【図６】
0003585026.tif 000007
【図７】
0003585026.tif 000008
【図８】
0003585026.tif 000009
【図９】
0003585026.tif 000010
【図１０】
0003585026.tif 000011
【図１１】
0003585026.tif 000012
【図１２】
0003585026.tif 000013
【図１３】
0003585026.tif 000014
【図１４】
0003585026.tif 000015
【図１５】
0003585026.tif 000016
【図１６】
0003585026.tif 000017
【図１７】
0003585026.tif 000018
【図１８】
0003585026.tif 000019
【図１９】
0003585026.tif 000020